(57)【特許請求の範囲】
【請求項１】
建物開口部の縁に沿って配置される枠体と、
前記枠体の枠内に開閉可能に配置され、板状の部材であるパネルと、前記パネルの外周端部を囲むように取り付けられ、見込み方向に貫通する通路を具備する框と、を有する戸体と、
箱状のケース部材、及び前記ケース部材に内包される熱膨張体を備える防火部材と、を有し、
前記防火部材の前記熱膨張体は、その膨張時に前記通路を塞ぐ部位に配置されており、
前記框は見込み方向に並ぶ、金属で形成された室外側部材及び樹脂で形成された室内側部材が組み合わせられて構成されており、前記パネルは、前記室外側部材の室外側に面する片と、前記室内側部材の室内側に面する片と、の間で挟持されており、
前記防火部材は、前記框の表裏面を形成する、前記室外側部材の室外側に面する片と、前記室内側部材の室内側に面する片と、の間に位置する片であって、かつ前記室外側部材から連続する片の室内側面に配置されている、
開口部装置。
【請求項２】
前記框に取り付けられ、該框の見込み方向の一方と他方とのそれぞれにハンドルを具備するとともに、前記框の前記通路を貫通して前記一方と他方とのハンドル同士を連結する棒状の連動軸を備える開閉操作部材が設けられ、
前記防火部材は、前記熱膨張体がその膨張時に前記連動軸が貫通する前記框の穴を塞ぐように配置される、請求項１に記載の開口部装置。
【発明の詳細な説明】
【技術分野】
【０００１】
本発明は、建物の開口部に備えられ、防火性が高められる開口部装置、及び該開口部装置に備えられる防火部材に関する。
【背景技術】
【０００２】
住宅等の建物には、万が一の火災の際にも延焼等の被害を最小限に抑えることができるように高い防火性が要求される。建物の開口部には壁が存在しないので、防火性が壁に比べて低くなる傾向にある。そこで、当該開口部に配置される窓やドア等の開口部装置に高い防火性を持たせることにより開口部の防火性を高めることが可能となる。
【０００３】
このような開口部装置において防火性が問題となるのは、室内外に連通する部位である。すなわち、室内側又は室外側の火炎が当該連通する部位から反対側へ侵入し、延焼を促進してしまう。当該連通する部位としては例えばドアの室内外のそれぞれに備えられた取っ手（ハンドル）を結ぶ軸が通される穴（以下、「ハンドル用穴」と記載することがある。）を挙げることができる。
【０００４】
特許文献１には、ドア本体の表裏面に備えられたエスカッションプレート（ハンドルの台座）とドア本体との間に熱膨張体を備えた防火ドアの構造が開示されている。これによれば、ドアが火災等により加熱されると熱膨張体が膨張し、ハンドル用穴を塞ぐので、延焼を防止することができるとされている。
【先行技術文献】
【特許文献】
【０００５】
【特許文献１】実開平２−１２１５８８号公報
【発明の概要】
【発明が解決しようとする課題】
【０００６】
しかしながら、実際の火災時にはドアは高熱にさらされる。すると、当該高熱により高熱に晒された側では、ハンドル周りのドア本体の片に穴が開いたり、片の一部が溶損してしまうことがある。このような場合には、当該ドア本体に生じた新たな穴がハンドル用穴に通じてしまい、特許文献１に記載の防火ドアの構造でも室内外の連通を防ぐことは困難であった。
【０００７】
そこで本発明はかかる問題点に鑑み、室内外を連通する穴があっても防火性が高い開口部装置を提供することを課題とする。また、その際に開口部装置に具備される防火部材を提供する。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物開口部の縁に沿って配置される枠体（１０）と、枠体の枠内に開閉可能に配置され、板状の部材であるパネル（２５）と、前記パネルの外周端部を囲むように取り付けられ、見込み方向に貫通する通路を具備する框（２４）と、有する戸体（２０）と、戸体の表裏面を形成する片の間に配置される部材に固定され、箱状のケース部材（４１）、及びケース部材に内包される熱膨張体（４２）を備える防火部材（４０）と、を有し、防火部材の熱膨張体は、その膨張時に通路を塞ぐ部位に配置されており、框（２４）は見込み方向に並ぶ、金属で形成された室外側部材（２４ａ）及び樹脂で形成された室内側部材（２４ｂ）が組み合わせられて構成されており、パネル（２５）は、室外側部材（２４ａ）の室外側に面する片（２４ｃ）と、室内側部材（２４ｂ）の室内側に面する片（２４ｄ）と、の間で挟持されており、防火部材（４０）は、框（２４）の表裏面を形成する、室外側部材（２４ａ）の室外側に面する片（２４ｃ）と、室内側部材（２４ｂ）の室内側に面する片（２４ｄ）と、の間に位置する片（２４ｅ）であって、かつ室外側部材（２４ａ）から連続する片（２４ｅ）の室内側面に配置されている、開口部装置（１００）を提供することにより前記課題を解決する。
【００１０】
請求項２に記載の発明は、請求項１に記載の開口部装置（１００）において、框に取り付けられ、該框の見込み方向の一方と他方とのそれぞれにハンドル（３４、３５）を具備するとともに、框の通路を貫通して一方と他方とのハンドル同士を連結する棒状の連動軸（３６）を備える開閉操作部材（３０）が設けられ、防火部材（４０）は、熱膨張体（４２）がその膨張時に連動軸が貫通する框の穴を塞ぐように配置される。
【発明の効果】
【００１３】
本発明によれば、開口部装置に室内外を連通する通路があっても高い防火性を具備させることが可能となる。
【図面の簡単な説明】
【００１４】
【図１】１つの実施形態にかかる開口部装置の外観を概略的に示した図で、図１（ａ）は室内視、図１（ｂ）は室外視によるものである。
【図２】図１にＩＩ−ＩＩで示した線に沿った断面を概略的に示した図である。
【図３】図１にＩＩＩ−ＩＩＩで示した線に沿った断面を概略的に示した図である。
【図４】防火部材の構造及びその取り付けの態様について説明した図である。
【図５】防火部材の構造を説明する図で、図５（ａ）は正面図、図５（ｂ）は側面図である。
【図６】防火部材の作用を説明する図で、図６（ａ）が通常時、図６（ｂ）は膨張時である。
【発明を実施するための形態】
【００１５】
本発明の上記した作用及び利得は、次に説明する発明を実施するための形態から明らかにされる。以下、本発明を図面に示す実施形態に基づき説明する。ただし、本発明はこれら実施形態に限定されるものではない。
【００１６】
図１は１つの実施形態にかかる開口部装置１００の外観を概略的に示した図である。図１（ａ）は室内視、図１（ｂ）は室外視によるものである。図２は、図１（ａ）に示したＩＩ−ＩＩ線に沿った断面（鉛直方向断面）を概略的に示した図である。図３は、図１（ａ）に示したＩＩＩ−ＩＩＩ線に沿った断面（水平方向断面）を概略的に示した図である。図２では、紙面左側が室外側、紙面右側が室内側である。また、図３では、紙面上側が室外側、紙面下側が室内側である。以下、図１〜図３及び適宜示す図を参照しつつ開口部装置１００、及びここに備えられる防火部材４０について説明する。
【００１７】
開口部装置１００は、建物開口部の縁に沿って備えられる枠体１０を有し、該枠体１０の枠内に戸体２０が配置される。戸体２０には戸先側端部（縦枠１４側の端部）に開閉操作部材３０が具備されており、戸体２０は当該戸先側端部とは反対側の端部である吊元側端部（縦枠１３側の端部）に備えられた不図示のピボットヒンジにより該ヒンジを軸としてスイング式に開閉可能とされている。さらに、戸体２０の戸先側端部で、開閉操作部材３０が配置される部位には防火部材４０が設けられている。
【００１８】
枠体１０は、建物開口部の縁に沿って配置される枠状体であり、上枠１１、下枠１２、縦枠１３、及び縦枠１４が枠状に枠組みされて形成されている。枠体１０の具体的な形状は特に限定されることなく公知のものを適用することができる。
【００１９】
戸体２０は、枠体１０により区画される枠内に配置される戸体であり、その吊元側端部においてピボットヒンジにより枠体１０に連結されている。したがって、戸体２０は、ピボットヒンジを軸としてスイング式に開閉することができる。
【００２０】
戸体２０は、上框２１、下框２２、縦框２３、２４を方形に組み、その区画内にパネル（例えば、ガラスパネル）２５を装着して構成されている。また戸先側の縦框２４には、開閉操作部材３０、及び防火部材４０が具備されている。
【００２１】
本実施形態では、パネル２５として、２枚のガラス２５ａ、２５ｂの間にスペーサー２６を挟持した複層ガラスパネルを例示している。ただしこれに限ることなく、単層ガラスパネルでも構わない。ただし、防火性向上の観点から、複層ガラスパネルの方が好ましい。
【００２２】
また、パネル２５の外周端部はグレージングチャンネル２７を介して上框２１、下框２２、縦框２３、２４に挿入される。すなわち、上框２１、下框２２、縦框２３、２４が、パネル２５の外周に沿ってパネル２５の端部及び端面を覆うように配置される。
【００２３】
上框２１は、図２からわかるように、室外側に配置される室外側部材２１ａと室内側に配置される室内側部材２１ｂとが見込み方向に組み合わされて構成されている。室外側部材２１ａはアルミニウム等の金属で形成されて戸体２０の強度を確保する。一方、室内側部材２１ｂは樹脂により形成され、戸体２０の断熱性向上が図られている。
下框２２は、図２からわかるように、室外側に配置される室外側部材２２ａと室内側に配置される室内側部材２２ｂとが見込み方向に組み合わされて構成されている。室外側部材２２ａはアルミニウム等の金属で形成されて戸体２０の強度を確保する。一方、室内側部材２２ｂは、樹脂により形成され、戸体２０の断熱性向上が図られている。
【００２４】
吊元側に配置される縦框２３は、図３からわかるように、室外側に配置される室外側部材２３ａと室内側に配置される室内側部材２３ｂとが見込み方向に組み合わされて構成されている。室外側部材２３ａはアルミニウム等の金属で形成されて戸体２０の強度を確保する。一方、室内側部材２３ｂは、樹脂により形成され、戸体２０の断熱性向上が図られている。
【００２５】
戸先側に配置される縦框２４は、図３からわかるように、室外側に配置される室外側部材２４ａと室内側に配置される室内側部材２４ｂとが見込み方向に組み合わされて構成されている。室外側部材２４ａはアルミニウム等の金属で形成されて戸体２０の強度を確保する。一方、室内側部材２４ｂは、樹脂により形成され、戸体２０の断熱性向上が図られている。
縦框２４は、図３からわかるように開閉操作部材３０が配置される部位において、室外側に面する片２４ｃ、室内側に面する片２４ｄが形成され、さらに、片２４ｃと片２４ｄとの間に配置される部材としての片２４ｅを備える。すなわち、室外側から室内側に向けて片２４ｃ、片２４ｅ、片２４ｄが見込み方向に並ぶように配置されている。
【００２６】
ただし、上框２１、下框２２、及び縦框２３、２４の具体的な断面形状は本実施形態に限定されることなく、公知のものを適用することができる。ただし、戸先側の框のうち、少なくとも開閉操作部材が配置される部位では、室外側片と室内側片との間に少なくとも１つの部材又は部材としての片が備えられている。
【００２７】
開閉操作部材３０は、戸体２０を開閉操作する時に用いられる部材であり、図１、図３からわかるように、ラッチ機構３１、室外側台座３２、室内側台座３３、室外側ハンドル３４、室内側ハンドル３５、及び連動軸３６を備えている。
【００２８】
ラッチ機構３１は、室外側ハンドル３４、及び室内側ハンドル３５の回動に連動して作動するラッチ機構を箱状の部材の内側に内包し、当該作動に対応して戸体の端面から突没するラッチ３１ａを具備している。ラッチ機構３１は公知のものを適用することができ、特に限定されるものではない。
当該ラッチ機構３１のうち上記した箱状の部材は縦框２４の片２４ｃと片２４ｅとの間に配置される。
【００２９】
室外側台座３２は縦框２４の室外側に面する片２４ｃの室外側面に接するように配置される板状の部材で、室外側ハンドル３４の台座となる。
室内側台座３３は縦框２４の室内側に面する片２４ｄの室外側面に接するように配置される板状の部材で、室内側ハンドル３５の台座となる。
室外側台座３２と室内側台座３３とは不図示のネジにより互いに引き寄せるように連結されている。すなわち、室外側台座３２と室内側台座３３とは縦框２４を室外側及び室内側から挟むように構成されている。
このような室外側台座３２及び室内側台座３３は公知の開閉操作部材にもそなえられており、ここでも公知のものを適用することができる。
【００３０】
室外側ハンドル３４は室外側台座３２の室外側面に接するように配置され、室外側に延びる部材で、操作の際に掴んで操作に供される部材である。
室内側ハンドル３５は室内側台座３３の室内側面に接するように配置され、室内側に延びる部材で、操作の際に掴んで操作に供される部材である。
【００３１】
連動軸３６は、軸状の部材であり、縦框２４及びラッチ機構３１を貫通して室外側ハンドル３４と室内側ハンドル３５とを連結する。すなわち当該連動軸３６が通される穴として縦框２４にハンドル用穴が形成され、これにより見込方向に貫通する通路が形成される（当該通路の一部を形成する穴として図４の穴２４ｆを挙げることができる。）。また連動軸３６は、ラッチ機構３１を貫通する部位において、当該ラッチ機構３１と連動するように構成されている。すなわち、室外側ハンドル３４、室内側ハンドル３５のいずれかを回動させると、連動軸３６を通じて他方側も回動するととも、ラッチ機構３１も作動する。
【００３２】
防火部材４０は、縦框２４のうち片２４ｅの室内側面に接するように、片２４ｅと片２４ｄとの間に配置される。図４には防火部材４０の構造、及び縦框２４への取り付けの態様を説明する図を示した。また図５には、防火部材４０のうちのカバー部材４１の正面図（図５（ａ））、及び一部を破断して示した側面図（図５（ｂ））を表した。
【００３３】
防火部材４０は、図４からわかるように、カバー部材４１、熱膨張体４２、及び固定部材４３、４４を備えている。
【００３４】
カバー部材４１は、図４、図５からわかるように、１つの面が開放され、片４１ｂを底片４１ｂとする箱状の収納部４１ａ、及び該収納部４１ａから延びる板状の取り付け部４１ｃ、４１ｄを備えている。本実施形態では１つの板状の部材の外周部を立ち上げるように折り曲げることにより収納部４１ａが箱状に形成され、取り付け部４１ｃ、４１ｄも折り曲げることにより形成されている。
【００３５】
また、底片４１ｂには、該底片４１ｂの厚さ方向に貫通する穴４１ｅ、４１ｆ、４１ｇが設けられている。穴４１ｅは上記した連動軸３６が貫通する穴である。また穴４１ｆ、４１ｇは、上記した室外側台座３２と室内側台座３３とを連結する不図示のネジが貫通する穴である。
【００３６】
さらに、取り付け部４１ｃ、４１ｄには、固定部材４３、４４が貫通する穴４１ｈ、４１ｉが設けられている。
【００３７】
熱膨張体４２は、通常時において図３、図４からわかるように、板状に形成され、収納部４１ａの箱状である内側に配置される。熱膨張体４２は、難燃性であるとともに、所定の温度にまで加熱されると膨張して体積が増加するように構成されている。具体的な膨張開始温度は特に限定されることはないが、建築基準法及び同施工令の加熱曲線に合せ、１５０℃程度であることが好ましい。
また、膨張倍率も特に限定されることはないが、１０倍〜４０倍であることが好ましい。
熱膨張体４２の具体的な材料はこのような性能を有するものであれば特に限定されることはなく、公知のものを用いることができる。これには例えば黒鉛や炭素繊維等の熱膨張体を含有した材料であり、基材としては、エポキシ系、塩化ビニル、ブチル等を使用したものを挙げることができる。
【００３８】
また、図４からわかるように、熱膨張体４２にはカバー部材４１の底片４１ｂに設けられた穴４１ｅ、４１ｆ、４１ｇに対応する穴が設けられている。
【００３９】
固定部材４３、４４は、カバー部材４１を縦框２４に固定するための部材であり、例えばネジ等を挙げることができる。
【００４０】
このような防火部材４０は例えば次のように縦框２４に取り付けられている。すなわち、縦框２４の片２４ｅには、予め連動軸３６、及び室外側台座３２と室内側台座３３とを連結する不図示のネジが貫通するハンドル用穴としての穴２４ｆが設けられている。そして穴２４ｆに室内側から覆いかぶせるように熱膨張体４２が配置される。さらに熱膨張体４２を室内側から覆って収納部４１ａの内側に内包するようにカバー部材４１を配置し、カバー部材４１の取り付け部４１ｃ、４１ｄの穴４１ｈ、４１ｉを貫通させた固定部材４３、４４が縦框２４の穴２４ｇ、２４ｈに固定される。
このとき熱膨張体４２は、その膨張時に通路、すなわち本実施形態では縦枠２４の穴２４ｆを塞ぐことができる位置に配置される。
【００４１】
以上の構成を有する開口部装置１００によれば、火災時等においても適切に防火性能を発揮することができる。図６に説明のための図を示した。図６は、図３のうち防火部材４０が配置された周辺に注目した視点の図である。図６（ａ）は通常時を示し、図６（ｂ）は火災等により熱膨張体４２が膨張した場面を示している。
【００４２】
すなわち、火災等により熱膨張体４２が所定の温度に達すると、該熱膨張体４２がカバー部材４１の収納部４１ａの内側で膨張し、連動軸３６が貫通する穴２４ｆ（図４参照）を塞ぐ。これにより見込方向室内外の連通が遮断され、延焼を防止することができる。
ここで防火部材４０は、室内外側最表面を形成する片２４ｃ、片２４ｄには配置されず、その間に設けられる部材としての片２４ｅに取り付けらている。火災等が生じた場合、最表面を形成する片のうち火元に近い側の片は熱により穴が開いたり、溶損したりしてしまう虞がある。そうするとここに熱膨張体を配置しても必ずしも穴を塞ぐことができるとは限らない。これに対して本実施形態では、火災時にも穴開きや溶損し難い内部の部材に防火部材４０が配置されているので、確実に穴を塞ぐことができる。
【００４３】
また、防火部材４０によれば、熱膨張体４２をカバー部材４１で覆って配置しているので、熱膨張体４２は穴を塞ぐ方向に膨張し、効率よく穴を塞ぐことが可能である。このような防火部材４０は、見込み方向に連通する通路を形成する穴に対して取り付ければよい。非常に簡易な構成であるとともに、その取り付けも容易であり、効率よく防火構造を構成することができる。
【００４４】
以上、実施形態により説明したが、本発明は必ずしも当該実施形態に限定されることなく、その趣旨に反しない範囲で変形することもできる。例えば次のような事項を挙げることができる。
【００４５】
上記実施形態では、縦框２４のうち、その内部に形成される１つの片２４ｅの室内側に防火部材４０を配置した。これは、当該片２４ｅが火災等によっても穴開き等が少ない部位であることに基づく。すなわち、防火部材４０は、火災時等において目的とする穴を塞ぐことができ、かつ、火災等に起因して穴開き等が起こりにくい部材であれば特に限定させることなく取り付けることができる。
【００４６】
また、熱膨張体はより安定して配置するために、いずれかの部材に貼り付けてもよい。本実施形態でいえば、熱膨張体４２を縦框２４の片２４ｅに貼り付けてもよいし、カバー部材４１の底片４１ｂに貼り付けてもよい。
【００４７】
さらに、本実施形態では見込方向室内外に通じる通路を形成する貫通する穴として、開閉操作部材３０の連動軸３６が貫通する穴を例に説明した。しかしながら必ずしもこれに限定されることはなく、開口部装置に形成され、通路を形成する他の穴を対象に防火部材が配置されてもよい。これには例えばシリンダー、錠箱、及びサムターンを備える錠装置が配置される部位を挙げることができる。
【００４８】
なお、上記した防火構造が適用されるに際し、開口部装置の他の部位においても各部位に適した防火構造が採用されることが好ましいことはいうまでもなく、このような他の部位には公知の防火構造を適用すればよい。
【００４９】
また、本実施形態では、スイング式に開閉する開口部装置について説明したが、これに限定されることなく、他の開閉形態の開口部装置についても同様である。
【符号の説明】
【００５０】
１０  枠体
２０  戸体
２１  上框（框）
２２  下框（框）
２３  縦框（框）
２４  縦框（框）
２５  パネル
２６  スペーサー
２７  グレージングチャンネル
３０  開閉操作部材
３４  室外側ハンドル
３５  室内側ハンドル
３６  連動軸
４０  防火部材
４１  カバー部材
４１ａ  収納部
４２  熱膨張体
【図１】
0006001251.tif 000002
【図２】
0006001251.tif 000003
【図３】
0006001251.tif 000004
【図４】
0006001251.tif 000005
【図５】
0006001251.tif 000006
【図６】
0006001251.tif 000007